(57)【要約】【課題】  構成部材に軽量かつ強度性を持たせて組立及び解体の作業性の向上と安全性の向上を図れるようにすること。【解決手段】  地上に適宜間隔をおいて立設される複数の支柱と、各支柱に固着された楔受け部材２に楔着される楔体を有するブラケットと、このブラケット間に着脱可能に架設される足場板と、楔受け部材に楔着される楔体３を有する手摺３０とを具備する戸建住宅用足場の取付構造において、楔受け部材２が、断面略コ字状であって、その脚部である脚片２ａの先端部の外側に薄肉段差部２ｂを設けた形状に押出成形された形材を、所定長さに切断して形成し、この楔受け部材の脚部先端部を支柱体１０の外周面に当接した状態で、薄肉段差部と支柱体の外周面とを溶接Ｗにより固着する。【選択図】    図４
2006097413.tif 000002
【特許請求の範囲】
【請求項１】
地上に適宜間隔をおいて立設される複数の支柱と、各支柱に固着された楔受け部材に楔着される楔体を有するブラケットと、このブラケット間に着脱可能に架設される足場板と、上記楔受け部材に楔着される楔体を有する手摺とを具備する戸建住宅用足場の取付構造であって、
上記楔受け部材が、断面略コ字状であって、その脚部の先端部の外側に薄肉段差部を設けた形状に押出成形された形材を、所定長さに切断してなり、
上記楔受け部材の脚部先端部を上記支柱の外周面に当接した状態で、上記薄肉段差部
と支柱外周面とを溶接により固着してなる、ことを特徴とする戸建住宅用足場の取付構造。
【請求項２】
請求項１記載の戸建住宅用足場の取付構造において、
上記楔受け部材における薄肉段差部が、上部から下部に渡って漸次小さくなるような勾配を有するように切断されている、ことを特徴とする戸建住宅用足場の取付構造。
【請求項３】
請求項１又は２記載の戸建住宅用足場の取付構造において、
上記楔受け部材の薄肉段差部の段部が傾斜状に形成されている、ことを特徴とする戸建住宅用足場の取付構造。
【請求項４】
請求項１ないし３のいずれかに記載の戸建住宅用足場の取付構造において、
上記支柱の外周面に、楔受け部材の取付段部溝を沿設し、この取付段部溝に、上記楔受け部材の脚部を係合させる、ことを特徴とする戸建住宅用足場の取付構造。
【発明の詳細な説明】
【技術分野】
【０００１】
この発明は、例えば２階建てや３階建て等の低中層の戸建住宅用足場に関するものである。
【背景技術】
【０００２】
一般に、戸建住宅を建設する場合、地上に適宜間隔をおいて立設される複数の支柱と、各支柱に装着されるブラケット間に架設される足場板と、手摺とを具備する足場を組み立てて外装作業や屋根作業等を行っている。この場合、金属板を断面略コ字状に曲折した楔受け部材を溶接等によって支柱に固着して、ブラケットあるいは手摺の端部に装着された楔体をハンマで叩いてブラケットや手摺等を固定する楔式足場が知られている（例えば、特許文献１参照）。
【特許文献１】特開平５−２２２８３９号公報（特許請求の範囲、段落番号０００９〜００１２、図２）
【発明の開示】
【発明が解決しようとする課題】
【０００３】
ところで、この種の足場においては、作業効率を高めるために支柱に取り付けられる手摺やブラケットを直交状に交差して取り付ける場合があり、そのため、４個の楔受け部材を上下方向に近接してクロス状に配設して溶接等で固着している。
【０００４】
しかしながら、従来の楔受け部材においては、脚部先端部の溶接部において溶け込みが少ないため、溶接強度が弱くなるので、ビードの余盛りを大きくしなければならない。しかし、ビードの余盛りを大きくすると、楔受け部材に楔体を挿入したとき、上段の楔受け部材に楔体を挿入した場合には、楔体が近傍下側の直交する楔受け部材の溶接部に当り、また、下段の楔受け部材に楔体を挿入した場合には、近傍上側の楔受け部材の溶接部に楔体が当ってしまい、手摺やブラケットの取付及び解体の作業性が悪いばかりか、楔体が溶接部に当たったまま楔体を挿入すると、溶接部に亀裂等が生じて楔受け部材が支柱から浮き上がることがある。このように楔受け部材が支柱から浮き上がると、手摺やブラケットの他端側の楔体の挿入に支障をきたし、手摺やブラケットの取付状態が不安定になるという問題があった。
【０００５】
この発明は上記事情に鑑みてなされたもので、構成部材に軽量かつ強度性を持たせて組立及び解体の作業性の向上と安全性の向上を図れるようにした戸建住宅用足場の取付構造を提供することを目的とする。
【課題を解決するための手段】
【０００６】
上記課題を解決するために、請求項１記載の発明は、地上に適宜間隔をおいて立設される複数の支柱と、各支柱に固着された楔受け部材に楔着される楔体を有するブラケットと、このブラケット間に着脱可能に架設される足場板と、上記楔受け部材に楔着される楔体を有する手摺とを具備する戸建住宅用足場の取付構造であって、  上記楔受け部材が、断面略コ字状であって、その脚部の先端部の外側に薄肉段差部を設けた形状に押出成形された形材を、所定長さに切断してなり、  上記楔受け部材の脚部先端部を上記支柱の外周面に当接した状態で、上記薄肉段差部と支柱外周面とを溶接により固着してなる、ことを特徴とする。
【０００７】
この発明において、上記楔受け部材における薄肉段差部が、上部から下部に渡って漸次小さくなるような勾配を有するように切断されている方が好ましい（請求項２）。
【０００８】
また、上記楔受け部材の薄肉段差部の段部を傾斜状に形成する方が好ましい（請求項３）。
【０００９】
加えて、上記支柱の外周面に、楔受け部材の取付段部溝を沿設し、この取付段部溝に、上記楔受け部材の脚部を係合させるようにする方が好ましい（請求項４）。
【発明の効果】
【００１０】
この発明によれば、上記のように構成されているので、以下のような効果が得られる。
【００１１】
（１）請求項１記載の発明によれば、楔受け部材が、断面略コ字状であって、脚部の先端部の外側に薄肉段差部を設けた形状に押出成形された形材を、所定長さに切断してなるので、金属板を折曲してなる楔受け部材に比べて軽量な楔受け部材を容易に作製することができる。また、楔受け部材の脚部先端部を支柱の外周面に当接した状態で、薄肉段差部と支柱外周面とを溶接により固着することにより、ビードの余盛りを大きくすることなく、楔受け部材を支柱に強固に固着することができる。更に、楔体の打ち込みの際に溶接部に当たる心配がない。したがって、足場の組立及び解体の作業性の向上と安全性の向上を図ることができる。
【００１２】
（２）請求項２記載の発明によれば、楔受け部材における薄肉段差部を、上部から下部に渡って漸次小さくなるような勾配を有するように切断することにより、上端が拡開し、下端が狭小する勾配をもたせて楔受け部材を支柱に容易に固着することができる。したがって、上記（１）に加えて更に楔受け部材と楔体との係合を強固にすることができる。
【００１３】
（３）請求項３記載の発明によれば、楔受け部材の薄肉段差部の段部を傾斜状に形成することにより、溶接部のビードの接触面積を大きくすることができると共に、ビードの余盛りを容易にすることができる。したがって、上記（１），（２）に加えて更に楔受け部材の固着を強固にすることができると共に、安全性の向上を図ることができる。
【００１４】
（４）請求項４記載の発明によれば、支柱の外周面に、楔受け部材の取付段部溝を沿設し、この取付段部溝に、楔受け部材の脚部を係合させるようにすることにより、楔受け部材を固着する際の位置決めを容易にすることができると共に、楔受け部材の支柱への固着を確実にすることができる。したがって、上記（１）〜（３）に加えて更に楔受け部材の固着を強固にすることができると共に、安全性の向上を図ることができる。
【発明を実施するための最良の形態】
【００１５】
以下に、この発明の最良の実施形態を添付図面に基づいて詳細に説明する。
【００１６】
図１は、この発明の戸建住宅用足場の要部を示す斜視図、図２は、図１のＩ部の拡大断面図、図３は、図２のII−II線に沿う断面図、図４は、図１のＩ部の拡大斜視図である。
【００１７】
上記足場は、地上に適宜間隔をおいて立設される複数の支柱１と、各支柱１に固着された楔受け部材２に楔着される楔体３を有するブラケット２０と、このブラケット２０間に着脱可能に架設される足場板４０と、各支柱１の楔受け部材２に楔着される楔体３を有する手摺３０とで主に構成されている。
【００１８】
上記支柱１は、弾性変形可能なロックピン５０を介して着脱可能に嵌挿固定される、外径寸法が略同一の複数の支柱体１０にて構成されており、少なくとも一つの支柱体１０はアルミニウムパイプにて形成されている。この場合、例えば、地上に設置されるジャッキベース部材４に連結される最下段の支柱体１０Ａを鉄製のパイプ部材にて形成し、支柱体１０Ａ以外の支柱体１０を全てアルミニウムパイプ製にするか、あるいは、鉄製パイプとアルミニウムパイプの混合とすることができる。なお、ジャッキベース部材４に連結される最下段の支柱体を含めて全てアルミニウムパイプ製の支柱体１０とすることも可能である。
【００１９】
アルミニウムパイプ製支柱体１０（以下に、支柱体１０という）は、上端に小径部１１を延在し、下端部には下段に位置する支柱体１０（１０Ａ）の上端小径部１１を嵌挿し得る拡管部１２を有し、拡管部１２の対向する側面にロックピン５０の係合孔１４を有し、かつ、この支柱体１０の外周面の対向する４箇所に、楔受け部材２を取り付けるための断面略直角状の取付段部溝１５が支柱体１０の長手方向に沿設されている（図３及び図４参照）。また、支柱体１０における適宜間隔をおいた取付段部溝１５には、断面略コ字状に形成される楔受け部材２の脚部である脚片２ａが係合されると共に、その接合部が溶接Ｗによって固着されている（図３参照）。したがって、楔受け部材２の脚片２ａが取付段部溝１５の底面と側面に接触するので、溶接部の接触面積が広くなり、楔受け部材２が強固に固着される。
【００２０】
なお、この場合、４個の楔受け部材２が近傍部位に固着されており、対向する２個の楔受け部材２が同一高さ位置に固着され、残りの２個の楔受け部材２が上段の楔受け部材２の近傍下方側の直交する対向位置に固着されている（図２ないし図４参照）。
【００２１】
この場合、楔受け部材２は、図５に示すように、断面略コ字状であって、両脚部である脚片２ａの先端部の外側に薄肉段差部２ｂを設けた形状に押出成形されたアルミニウム合金製の形材を、所定長さに切断したものにて形成されている。また、楔受け部材２における薄肉段差部２ｂは、上部から下部に渡って漸次小さくなるような勾配２ｃを有するように切断されており、楔受け部材２の薄肉段差部２ｂの段部２ｄに傾斜面２ｅが形成されている（図５（ｂ）参照）。
【００２２】
このように、楔受け部材２の脚片２ａの先端部に設けられる薄肉段差部２ｂに上部から下部に渡って漸次小さくなるような勾配２ｃを設けることにより、上端が拡開し、下端が狭小する勾配をもたせて楔受け部材２を支柱体１０に容易に固着することができるので、楔受け部材２と楔体３との係合を強固にすることができる。
【００２３】
また、楔受け部材２の薄肉段差部２ｂの段部２ｄに傾斜面２ｅを形成することにより、溶接Ｗ部のビードの接触面積を大きくすることができると共に、ビードの余盛りを容易にすることができるので、楔受け部材２の固着を強固にすることができると共に、安全性の向上を図ることができる。
【００２４】
また、支柱体１０は、押出成形によって取付段部溝１５を同時に形成したアルミニウムパイプにて形成される支柱体基部１０ａの上端開口部に、アルミニウムパイプにて形成される小径部１１を挿入し、支柱体基部１０ａの上端部の側面に設けられた貫通孔１０ｂを溶接Ｗして支柱体基部１０ａと小径部１１とを固定している。なお、支柱体基部１０ａの下端部を拡管加工して拡管部１２を形成する。このように形成される支柱体１０は、異なる長さの数種類、例えば３ｍ８０ｃｍ、１ｍ９０ｃｍ、９５ｃｍの３種類が用意されて、目的に応じて組み合せできるようになっている。なお、支柱体１０，１０Ａの外径寸法は、略同一寸法であれば任意の寸法であってもよい。
【００２５】
上記のように、支柱体１０と鉄製支柱体１０Ａの外径寸法、小径部１１の外径寸法を同一にすると共に、拡管部１２の内径寸法と鉄製支柱体１０Ａの内径寸法とを同一にすることにより、支柱体１０と鉄製支柱体１０Ａとに互換性を持たせて選択使用することができる。すなわち、支柱体１０の拡管部１２に鉄製支柱体１０Ａの小径部１１Ａを嵌挿したり、あるいは、鉄製支柱体１０Ａの下端部に支柱体１０の小径部１１を嵌挿して、支柱体１０と鉄製支柱体１０Ａとを適宜選択して使用することができる。したがって、既存の鉄製支柱体１０Ａと支柱体１０とを同様に取り扱うことができるので、在庫管理や運搬が便利となる。
【００２６】
上記手摺３０は、図６及び図７に示すように、上下部に肉厚部３２が形成されると共に、対向する両外側面に、端部側に開口して軸方向に延びる凹状取付部３３が形成されたアルミニウムパイプ製の手摺本体３１と、この手摺本体３１の端部に装着されるアルミダイキャスト製の楔体３とを具備している。
【００２７】
この場合、楔体３は、図８ないし図１０に示すように、手摺本体３１の凹状取付部３３に嵌合する凹状部３４を有する取付筒部３５と、この取付筒部３５に例えば溶接等によって固着、あるいは一体に形成される楔部３６とで形成されている。なお、楔体３の先端側の支柱当接面３ａには、支柱体１０の外周面と相似形状の凹状面３ｂが形成されている（図８参照）。このように、楔体３の先端側の支柱当接面３ａに、支柱体１０の外周面と相似形状の凹状面３ｂを形成することにより、楔体３を楔受け部材２に打ち込んだ状態において凹状面３ｂが支柱体１０の外周面に密接して、ガタツキを防止することができる。
【００２８】
上記のように形成される楔体３を手摺本体３１に装着するには、図９に示すように、取付筒部３５及び手摺本体３１の凹状取付部３３に穿設された貫通孔３７を貫通するボルト３８にナット３９を締結して手摺本体３１に楔体３を固着する。この際、ボルト３８の頭部３８ａ及びナット３９を凹状部３４内に納めて、外部への突出部をできる限り少なくしてある。したがって、作業者が不用意に手摺３０に手や衣服を引っ掛けるのを防止することができる。
【００２９】
上記ブラケット２０は、図１１に示すように、上下部に肉厚部２２が形成されるアルミニウムパイプ製のブラケット本体２１と、このブラケット本体２１の両端部に装着されるアルミダイキャスト製の楔体３Ａと、先端がブラケット本体２１の下面に溶接等によって固着され、基端部に支柱体１０（１０Ａ）の側面に当接するＶ字状当接部２３を有するアルミニウム板製のブレース２４と、このブレース２４の基端側とブラケット本体２１の下面とにそれぞれ溶接等によって固着されるアルミニウム製の補強板２５と、ブラケット本体２１の対向する４箇所にそれぞれ溶接等によって固着される４個の断面略コ字状の楔受け部材２Ａとを具備している。なお、ブラケット本体２１の両側の２箇所の対向する部位には、断面略コ字状の楔受け部材２Ａが溶接等により固着されている。
【００３０】
この場合、楔体３Ａは、ブラケット本体２１に嵌合される取付筒部３５と、この取付筒部３５に例えば溶接等によって固着、あるいは一体に形成される楔部３６とで形成されている。この楔体３Ａをブラケット本体２１に装着するには、取付筒部３５及びブラケット本体２１に穿設された貫通孔（図示せず）を貫通するボルト３８にナット３９を締結してブラケット本体２１に楔体３Ａを固着する。この楔体３Ａはブラケット本体２１の両端部に装着されており、対峙する支柱１｛具体的には、支柱体１０（１０Ａ）｝に固着された対向する楔受け部材２に楔着されることによってブラケット２０を強固に取り付けることができるようになっている。なお、楔体３Ａは必ずしもブラケット本体２１の両端部に装着する必要はなく、少なくともブレース２４の基端側に位置する端部に装着されていればよい。なお、楔体３Ａも、楔体３と同様に、先端側の支柱当接面３ａには、支柱体１０の外周面と相似形状の凹状面３ｂが形成されている（図１１（ａ）参照）。
【００３１】
一方、上記足場板４０は、図１２及び図１３に示すように、長手方向に沿う複数例えば７個（列）の凸部４１ａ，４１ｂを有する凹凸状の踏み板部４１と、この踏み板部４１の両端から下面に垂下する一対の断面略Ｌ字状の補強側壁片４２と、踏み板部４１の下面中間部の両側に垂下する互いに平行な２列の断面略矩形状の中空補強部４３とを具備するアルミニウム製押出形材にて形成されている。また、足場板４０の踏み板部４１の凸部４１ａ，４１ｂには、適宜間隔をおいて多数の滑り止め兼用の水抜き孔４４ａ，４４ｂが穿設されている。この場合、両中空補強部４３の間には３列の凸部４１ａが形成され、中空補強部４３より外側には凸部４１ａより幅広の２列の凸部４１ｂが形成されており、凸部４１ａには略方形状の水抜き孔４４ａが狭いピッチ間隔で穿設され、また、凸部４１ｂには長手方向が長い略矩形状の水抜き孔４４ｂが同じく狭いピッチ間隔で穿設されている。したがって、足場板４０の踏み板部４１は、開口率（例えば３７％）の大きい水抜き孔４４ａ，４４ｂが形成されるので、滑り難い上、表面に汚れが付き難く、しかも、建物の壁を汚す雨だれの跳ね返りを防止することができる。
【００３２】
また、足場板４０における長手方向の両端部にはアルミニウム製の塞ぎ板４５が溶接等によって固着されている。この塞ぎ板４５を介して足場板４０の一側には、長手方向の外方に突出するステンレス鋼製のフック金具４６がボルト４７及びナット４８によって固定されている。また、足場板４０における長手方向の両端部の他側部には、ブラケット２０に設けられた楔受け部材２Ａに挿入されるステンレス鋼製の楔体３Ｂが溶接等によって固着されている。なお、塞ぎ板４５における中空補強部４３を塞ぐ部位には、水抜き孔４９が設けられている。
【００３３】
次に、この発明に係る足場の一例の組立手順について説明する。まず、ジャッキベース部材４と最下段の支柱体例えば鉄製支柱体１０Ａを連結する。次に、支柱体１０Ａの小径部１１Ａにロックピン５０を取り付ける。ロックピン５０を取り付けるには、弾性力に抗して押圧して両第１及び第２の傾斜片５２，５４を近づけて、支柱体１０Ａの小径部１１Ａ内に挿入した後、押圧力を解除して、小径部１１Ａに設けられた窓孔１３内から屈曲部５３を外方に突出した状態にセットする。なお、ロックピン５０を予め支柱体１０Ａの小径部１１Ａに取り付けておいてもよい。この状態で、支柱体１０Ａを立て、ジャッキベース部材４を図示しないアンカで固定して、複数の支柱体１０Ａを適時間隔に設置する。
【００３４】
次に、支柱体１０Ａにブラケット２０を取り付ける。この際、ブラケット２０の楔体３Ａをハンマで叩いて支柱体１０Ａに固着された楔受け部材２に楔着して、ブラケット２０を取り付ける。同様にして各支柱体１０Ａにブラケット２０を取り付ける。
【００３５】
次に、隣接する支柱体１０Ａに取り付けられたブラケット２０間に足場板４０を架設する。この際、足場板４０に設けられた楔体３Ｂをハンマで叩いてブラケット２０に固着された楔受け部材２に楔着すると共に、足場板４０に設けられたフック金具４６をブラケット本体２１に引っ掛けて足場板４０を強固に架設することができる。
【００３６】
次に、架設された足場板４０を利用して隣接する支柱体１０Ａに手摺３０を取り付ける。この際、手摺３０に設けられた楔体３をハンマで叩いて支柱体１０Ａに固着された楔受け部材２に楔着して、手摺３０を強固に取り付けることができる。
【００３７】
また、足場板４０を利用して支柱体１０Ａの先端小径部１１Ａに２段目の支柱体例えばアルミニウムパイプ製支柱体１０を連結する。この際、支柱体１０の下端の拡管部１２内に小径部１１Ａを嵌挿させると、ロックピン５０の屈曲部５３が支柱体１０の係合孔１４に係合して支柱体１０が固定される。これにより、支柱体１０は回転が阻止されると共に、不用意に抜けることがなくなる。このようにして、各支柱体１０Ａの小径部１１Ａに拡管部１２を嵌挿して支柱体１０を連結する。
【００３８】
次に、支柱体１０に、上記と同様にブラケット２０を取り付ける。すなわち、ブラケット２０の楔体３Ａをハンマで叩いて支柱体１０に固着された楔受け部材２に楔着して、ブラケット２０を取り付ける。同様にして各支柱体１０にブラケット２０を取り付ける。
【００３９】
次に、隣接する支柱体１０に取り付けられたブラケット２０間に、上記と同様に足場板４０を架設する。すなわち、足場板４０に設けられた楔体３Ｂをハンマで叩いてブラケット２０に固着された楔受け部材２に楔着すると共に、足場板４０に設けられたフック金具４６をブラケット本体２１に引っ掛けて足場板４０を強固に架設する。
【００４０】
架設された足場板４０を利用して隣接する支柱体１０に、上記と同様に手摺３０を取り付ける。すなわち、手摺３０に設けられた楔体３をハンマで叩いて支柱体１０に固着された楔受け部材２に楔着して、手摺３０を強固に取り付けることができる。
【００４１】
以下、同様に、足場板４０を利用して、支柱体１０の小径部１１にロックピン５０を介して支柱体１０を嵌挿固定し、各支柱体１０にブラケット２０を取り付けると共に、ブラケット２０間に足場板４０を架設し、更に、隣接する支柱体１０間に手摺３０を取り付けて、所定の高さの足場を組み立てる。
【００４２】
上記のようにして組み立てられた足場は、最下段に鉄製の支柱体１０Ａを位置させ、その上方にアルミニウムパイプ製の支柱体１０を使用し、また、ブラケット２０はアルミニウム製のブラケット本体２１を有し、手摺３０においてもアルミニウムパイプからなる手摺本体３１を有するので、足場構成部材を軽量化することができ、高所での作業を容易にすると共に、安全に行うことができる。また、支柱体１０においても肉厚に形成されているので、強度が得られる。また、ブラケット２０及び手摺３０においては、ブラケット本体２１及び手摺本体３１の上下部に肉厚部２２，３２が形成され、しかも、アルミダイキャスト製の楔体３，３Ａを装着してなるため、取り付ける際にハンマで叩いても変形する虞がなく、十分な強度が得られるので、寿命の増大が図れ、繰り返し使用することができる。また、手摺３０は、手摺本体３１と楔体３とを連結（締結）するボルト３８の頭部３８ａ及びナット３９を凹状部３４内に納めているので、手摺３０からの突起部をできる限り少なくすることができ、作業者が不用意に手を引っ掛けたり、衣服を引っ掛ける心配がなく、作業を安全にすることができる。
【００４３】
足場を解体する場合は、手摺３０と足場板４０とブラケット２０においては、楔体３，３Ａの取付筒部３５の下面等をハンマで叩いて楔体３，３Ａ，３Ｂと楔受け部材２（２Ａ）との楔着を解いて、手摺３０、足場板４０及びブラケット２０を順に取り外す。また、支柱１を解体する場合は、上述したように、支柱体１０（１０Ａ）をロックピン５０の第１及び第２の傾斜片５２，５４の傾き方向に回転する（捻る）ことにより、ロックピン５０の固定を解除して、支柱体１０（１０Ａ）を取り外す。
【００４４】
足場を解体する場合においても、支柱体１０がアルミニウム製であり、また、ブラケット２０はアルミニウム製のブラケット本体２１を有し、手摺３０においてもアルミニウムパイプからなる手摺本体３１を有するので、高所での作業を容易にすると共に、安全に行うことができる。また、ブラケット２０及び手摺３０においては、ブラケット本体２１及び手摺本体３１の上下部に肉厚部２２，３２が形成され、しかも、アルミダイキャスト製の楔体３，３Ａを装着してなるため、取り外しの際にハンマで叩いても変形する虞がなく、十分な強度が得られるので、寿命の増大が図れ、繰り返し使用することができる。
【００４５】
なお、上記説明では、最下段に鉄製の支柱体１０Ａを位置させ、その上方にアルミニウム製の支柱体１０を位置させる場合について説明したが、鉄製の支柱体１０Ａとアルミニウムパイプ製の支柱体１０とは互換性があり、しかも支柱体１０は肉厚に形成されて強度性を有するので、適宜選択して支柱１を構成することは可能である。
【図面の簡単な説明】
【００４６】
【図１】この発明に係る足場の要部を示す斜視図である。
【図２】図１のＩ部の拡大断面図である。
【図３】図２のII−II線に沿う断面図である。
【図４】図１のＩ部の拡大斜視図である。
【図５】この発明における楔受け部材を示す斜視図（ａ）及び（ａ）のIII部の拡大図（ｂ）である。
【図６】この発明における手摺の平面図（ａ）及び側面図（ｂ）である。
【図７】この発明における手摺本体の端部を示す側面図（ａ）、（ａ）のIV−IV線に沿う断面図（ｂ）及び（ａ）のＶ−Ｖ線に沿う断面図（ｃ）である。
【図８】この発明における楔体を示す斜視図である。
【図９】この発明における手摺本体と楔体との固定（装着）状態を示す断面図である。
【図１０】この発明における楔体の正面図（ａ）、側面図（ｂ）及び背面図（ｃ）である。
【図１１】この発明におけるブラケットの平面図（ａ）、側面図（ｂ）及び底面図（ｃ）である。
【図１２】この発明における足場板の平面図（ａ）及び側面図（ｂ）である。
【図１３】図１２のVI−VI線に沿う拡大断面図である。
【符号の説明】
【００４７】
１  支柱
２  楔受け部材
２ａ  脚片
２ｂ  薄肉段差部
２ｃ  勾配
２ｄ  段部
２ｅ  傾斜面
３，３Ａ  楔体
１０，１０Ａ  支柱体
１５  取付段部溝
２０  ブラケット
４０  足場板
【図１】
2006097413.tif 000003
【図２】
2006097413.tif 000004
【図３】
2006097413.tif 000005
【図４】
2006097413.tif 000006
【図５】
2006097413.tif 000007
【図６】
2006097413.tif 000008
【図７】
2006097413.tif 000009
【図８】
2006097413.tif 000010
【図９】
2006097413.tif 000011
【図１０】
2006097413.tif 000012
【図１１】
2006097413.tif 000013
【図１２】
2006097413.tif 000014
【図１３】
2006097413.tif 000015